(57)【要約】【課題】  特に屋外で使用する場合に、使い勝手のよい蚊遣り装置を提供すること。【解決手段】  蚊遣り装置には、下側に位置する基台と、この基台の上方空間に覆い被さるようにして組み付けられる蓋体とが備えられている。基台と蓋体との組付によって、その内部には蚊取り線香を収容可能な収容空間が形成される。収容空間は、延焼中の蚊取り線香を装着可能な線香取付部が組み付けられる。蓋体の上部には、側壁に蚊遣り煙を放出する放出窓を設けた煙突部が突設されている。煙突部の上面には、放出窓を覆う傘部が設けられている。【選択図】          図１
2007295901.tif 000002
【特許請求の範囲】
【請求項１】
下側に位置する基台と、この基台の上方空間に覆い被さるようにして組み付けられると共に前記基台との間に蚊取り線香を収容可能な収容空間を形成する蓋体とが備えられた屋外用蚊遣り装置であって、
前記基台側には前記収容空間に設けられ延焼中の蚊取り線香を装着可能な線香取付部が組付可能とされており、前記蓋体または基台のうちの少なくともいずれか一方には延焼中の蚊取り線香から出る蚊遣り煙を外方に放出可能な放出窓とこの放出窓の上側を覆う傘部とが設けられていることを特徴とする屋外用蚊遣り装置。
【請求項２】
前記線香取付部は、蚊取り線香を載置可能な皿体とされていることを特徴とする請求項１に記載の屋外用蚊遣り装置。
【請求項３】
前記放出窓は前記蓋体に設けられていることを特徴とする請求項１または請求項２に記載の屋外用蚊遣り装置。
【請求項４】
前記基台は、前記蓋体が組み付けられる上方空間のみを開放したものであることを特徴とする請求項１〜請求項３のいずれかに記載の屋外用蚊遣り装置。
【請求項５】
前記蓋体の上面には、上方に突設されると共に前記収容空間に連通する煙空間を備えた中空状の煙突部が設けられ、この煙突部を構成する側壁に前記放出窓が形成されていると共に、前記煙突部の上端面に設けられた前記傘部が前記蓋体を持ち上げる際の取っ手部を兼ねることを特徴とする請求項１〜請求項４のいずれかに記載の屋外用蚊遣り装置。
【請求項６】
前記傘部の外径は、８ｃｍ〜１２ｃｍであることを特徴とする請求項５に記載の屋外用蚊遣り装置。
【請求項７】
前記基台および蓋体の外方は、茶色であることを特徴とする請求項１〜請求項６のいずれかに記載の屋外用蚊遣り装置。
【請求項８】
前記基台および蓋体は、植木鉢であることを特徴とする請求項１〜請求項７のいずれかに記載の屋外用蚊遣り装置。
【請求項９】
前記収容空間の内径は、１５ｃｍ〜１８ｃｍであることを特徴とする請求項１〜請求項８のいずれかに記載の屋外用蚊遣り装置。
【発明の詳細な説明】
【技術分野】
【０００１】
本発明は、屋外用蚊遣り装置に関するものである。
【背景技術】
【０００２】
従来より、蚊取り線香の使用時にこれを収容しておくための蚊遣りブタと称する装置が知られている。この装置の多くは、蚊取り線香の煙を上手く拡散できるように、前後あるいは上方に開放されている。
【０００３】
しかし、このような装置を屋外で使用した場合には、次のような欠点があった。すなわち、前後両方向に開放しているため、風がある場合には線香の火が消えやすく、また雨が降っている場合には、小雨であっても、内部に雨が入り込んでしまい線香の火が消えてしまうためにほとんど使用できなかった（例えば、特許文献１，２）。
【０００４】
【特許文献１】特開２００６−５５１４４号公報
【特許文献２】特開２００３−３３１２９号公報
【発明の開示】
【発明が解決しようとする課題】
【０００５】
本発明は、上記した事情に鑑みてなされたものであり、その目的は、特に屋外で使用する場合に、使い勝手のよい蚊遣り装置を提供することにある。
【課題を解決するための手段】
【０００６】
上記課題を解決するための発明に係る蚊遣り装置は、下側に位置する基台と、この基台の上方空間に覆い被さるようにして組み付けられると共に前記基台との間に蚊取り線香を収容可能な収容空間を形成する蓋体とが備えられたものであって、前記基台側には前記収容空間に設けられ延焼中の蚊取り線香を装着可能な線香取付部が組付可能とされており、前記蓋体または基台のうちの少なくともいずれか一方には延焼中の蚊取り線香から出る蚊遣り煙を外方に放出可能な放出窓とこの放出窓の上側を覆う傘部とが設けられていることを特徴とする。
【０００７】
本発明によれば、蚊取り線香を燃焼中には、蚊遣り煙は放出窓を通って蚊遣り装置の外方に放出される。放出窓の上側を覆う傘部が設けられているので、雨が降り込み難く、屋外で使用した場合にも消えにくい。
蚊取り線香を「装着」するとは、蚊取り線香を載置する方式、蚊取り線香の一部分を保持する（蚊取り線香の中央に孔部がある場合には、その孔部に挿入して保持する場合を含む）方式を含む。
【０００８】
本発明において、線香取付部は、蚊取り線香を載置可能な皿体とされていることが好ましい。そのようにすれば、蚊取り線香の燃焼後には、収容空間から皿体のみを取り出して、線香の燃えかすを処理することができる。
本発明において、放出窓は蓋体に設けることが好ましい。そのようにすれば、基台に設ける場合に比べると、放出窓が地面からより高い位置に設けられるので、雨が激しい場合であっても、放出窓から雨水が浸入する事態を避けやすくなる。
【０００９】
本発明において、基台は蓋体が組み付けられる上方空間のみを開放したものであることが好ましい。本発明に係る蚊遣り装置を屋外で使用した場合には、小虫が装置の内部に侵入してくる事態が懸念される。特に、基台として植木鉢形状のものを使用する場合には、下面中央の水流し孔から小虫が侵入することがある。このような事態を回避するためには、基台は上方空間のみを開放することがよい。
【００１０】
本発明において、蓋体の上面には、上方に突設されると共に収容空間に連通する煙空間を備えた中空状の煙突部が設けられ、この煙突部を構成する側壁に前記放出窓が形成されていると共に、煙突部の上端面に設けられた前記傘部が前記蓋体を持ち上げる際の取っ手部を兼用することが好ましい。
このようにすれば、傘部を持ちつつ蓋体を持ち上げることにより、内部の蚊取り線香に火を付けたり、蚊取り線香の燃えかすを処理することができる。
【００１１】
また、この場合に、傘部の外径は、８ｃｍ〜１２ｃｍであることが好ましい。そのようにすれば、傘部の大きさが片手で持ち上げやすい大きさとなる。このため、片手で傘部を掴んで蓋体を持ち上げつつ、収容空間に挿入された蚊取り線香に点火したり、基台側の燃えかすを掃除したりという操作を行いやすくなる。更に、このとき、蓋体の質量は、３ｋｇ以下（好ましくは２．５ｋｇ以下）であることが好ましい。これよりも重くなると、片手で操作することが難しくなるからである。また、蓋体の質量は、１ｋｇ以上（好ましくは１．５ｋｇ以上）であることが好ましい。蓋体が軽すぎると、風が強い場合には蓋体が風で飛んでしまうおそれがあるためである。こうして、蓋体の質量としては、１ｋｇ〜３ｋｇ（好ましくは、１．５ｋｇ〜２．５ｋｇ）の範囲であることが好ましい。
【００１２】
また、本発明において、基台および蓋体の外方は、茶色であることが好ましい。そのようにすれば、蚊遣り装置を庭・ハウスに置いたときにも、違和感がない。
本発明において、基台および蓋体は、植木鉢で構成することが好ましい。
本発明において、収容空間の内径は、１６ｃｍ〜１８ｃｍであることが好ましい。
【００１３】
市販の蚊取り線香には、大きく分けて、ヒト用のものと動物用のものとがある。このとき、ヒト用のものは、より小径であり、かつ高価である。一方、動物用のものは、より大径であり、比較的安価である。本蚊遣り装置は、屋外で使用することが多いことから、多くの蚊遣り煙を出せ、長時間に渡って燃焼し、かつ安価な動物用蚊取り線香を使用することが好ましい。そのため、収容空間の内径は、より大径の動物用蚊取り線香を収容可能な１６ｃｍ以上であることが好ましい。また、収容空間が必要以上に大型化すると、蚊遣り装置の持ち運びに不便となるため、収容空間の内径は１８ｃｍ以下であることが好ましい。
【発明の効果】
【００１４】
本発明によれば、特に屋外において使用性の良好な蚊遣り装置を提供することができる。
【発明を実施するための最良の形態】
【００１５】
次に、本発明の実施形態について、図面を参照しつつ説明するが、本発明の技術的範囲は、これらの実施形態によって限定されるものではなく、発明の要旨を変更することなく様々な形態で実施することができる。また、本発明の技術的範囲は、均等の範囲にまで及ぶものである。
【００１６】
図１には、本実施形態の蚊遣り装置１の分解斜視図を示した。この蚊遣り装置１は、主として屋外（例えば、庭、野菜・果物などを栽培するハウス内などで好適）で好適に使用することができる。蚊遣り装置１には、下側（地面側）に位置する基台２と、この基台２の上方空間に覆い被さるようにして組み付けられる蓋体３と、延焼中の蚊取り線香４を載置可能（本発明の「装着」の一実施形態としての「載置」方式である）な線香取付部５とが設けられている。本実施形態において、基台２は、外方が茶色の植木鉢を転用したものである。
【００１７】
植木鉢の底壁中央に設けられる孔部２３は、閉止材２４（例えば、方形板状の部材）によって閉止されている。蚊遣り装置１を屋外で使用すると、小虫が孔部２３から基台２の内部に侵入することがあるので、そのような事態を避けるためである。こうして、基台２は上方空間のみを開放したものとされている。基台２の上方開口部２１の内径Ｌは、約１６．５ｃｍである。開口部２１には、ほぼ均等間隔で４カ所に載置部材２２が設けられている。載置部材２２は、数ミリメートル程度の外径を備えた円柱状の部材で形成されている。この部材が、長さ方向の中央付近でＵ字状に折り曲げられ、その折り曲げられた部分が開口部２１の上端縁に引っ掛けられることで、開口部２１の内側と外側とにまたがった形で係止されている。載置部材２２において開口部２１の内側に位置する部分は、線香取付部５の外面に当接しつつ、位置決めを行う。一方、外側に位置する部分は、蓋体３の基部３１の内側に当接する。
【００１８】
載置部材２２の上方からは、線香取付部５が着脱可能に載置される。線香取付部５は、蚊取り線香４を載置可能な皿体とされている。本実施形態では、線香取付部５は、市販品の動物用蚊取り線香の蓋を転用している。線香取付部５の底部分（図１に示す面側）には、燃焼中の蚊取り線香４の熱に耐えるように耐熱材（例えばグラスファイバー）５１が設けられている。線香取付部５の内径は、約１６ｃｍとされている。これは、外径が約１５ｃｍ程度の蚊取り線香４を載置可能とするためである。線香取付部５を基台２の開口部２１に装着すると、線香取付部５の外径部分が載置部材２２によって支持されるようになっている。
【００１９】
蚊取り線香４は、約１３ｃｍ〜約１６ｃｍ程度の外径を備えた市販品を使用することができる。この場合に、最も大きな外径（例えば約１６ｃｍ程度）を備えた蚊取り線香４に併せた線香取付部５を用意することにより、一種類の線香取付部５だけで各種の蚊取り線香４を使用できる。但し、線香取付部５としては、使用者が購入した蚊取り線香に付いていることが多い金属製の蓋を転用することが多いものと考えられる。併せて、蚊遣り装置１を屋外で使用する場合には、蚊遣り煙が多く発生し、かつ安価な動物用の大型蚊取り線香を用いる事態が多いことが考慮される。このため、基台２としては、大型の蚊取り線香４を装着可能な内径Ｌとして、約１７ｃｍ程度のものを用いることが好適な実施例となる。
【００２０】
蓋体３は、植木鉢を転用した基部３１と、この基部３１の上面側に固定された煙突部３２と、この煙突部３２の上端面に設けられた傘部３３とから構成されている。蓋体３の全質量は約２ｋｇ程度とされている。また、蓋体３の外方は茶色とされている。蓋体３が基台２に組み付けられると、その内部には、蚊取り線香４を収容可能な収容空間６が形成される。蓋体３の基部３１の下面側（基台２に組み付けられる側）の内径Ｍは、基台２の開口部２１の外径よりも大きくなっている。こうして、蓋体３が基台２に組み付けられると、基部３１が基台２の外側に位置して上面を覆うようになっている。
また、蓋体３の上面側外縁には、外周に沿ってほぼ均等な間隔で四個の水抜き溝３５が大きく形成されている。この水拭き溝３５は、植木鉢である蓋体３の裏面に設けられている溝を更に大きくかつ深くしたものである。この水抜き溝３５により、蓋体３の上面に降ってきた雨水が円滑に外方に流れ出すことで、上面に水が溜まらないようになっている。
【００２１】
なお、蓋体３と基台２とを組付けるには、この逆の大きさ、すなわち蓋体３が基台２の開口部２１の内側に入り込むように構成することもできる。しかしながら、雨水が基台２の内部に浸入することを避けるためには、本実施形態の構成とすることが好ましい。蓋体３が基台２の上面に組み付けられると、基部３１の内面が載置部材２２に当接することで、基部３１と基台２との間には、その周方向に沿って僅かな隙間が形成される。この隙間は、蚊遣り装置１の内部に新鮮な空気（酸素）を供給するために作用する。
【００２２】
基部３１の底面中央（図示の使用態様においては、上面側）には、図示しない孔部が開放されている。煙突部３２は、上下に同径の中空状部材（例えば、プラスチック製のチューブ材）によって形成されており、基部３１に開放した孔部と同心状態で基部３１に組み付けられている。こうして、基部３１と基台２とで形成される収容空間６と、煙突部３２内部の煙空間３２Ａとは、内部で連通している。また、煙突部３２側壁の上端からは、図４に示すように、円周方向に沿ってほぼ均等な４カ所の位置に放出窓３４が切り込まれている。傘部３３は、煙突部３２の外径よりも大きな内径を備えたカップ状とされている。傘部３３の外径は、約１０ｃｍとされている。傘部は、そのカップを下方に向けるようにして、煙突部３２の上端面に固定されている。傘部３３の下端縁の位置は、放出窓３４の下端縁の位置よりも低いところまで下げられており、放出窓３４全体が傘部３３によって覆われるようになっている。また、傘部３３は、蓋体３を持ち上げる際の取っ手部を兼用している。
【００２３】
次に、上記のように構成された本実施形態の作用及び効果について説明する。
新たに蚊取り線香４に点火するために、傘部３３をつかみ挙げることで、蓋体３を基台２から取り外す。ここで、収容空間６の内部に線香取付部５がない場合（例えば、本実施形態の蚊遣り装置１において、線香取付部５は使用者が購入した蚊取り線香４の蓋を用いる設定とした場合）には、線香取付部５を基台２の開口部２１に装着する。また、線香取付部５に、先回使用時の蚊取り線香４の燃え滓が残っている場合には、線香取付部５を基台２から取外し、内側の燃え滓を適当に処理する。この場合に、ゴミとして廃棄することも可能であるが、一般的なアルカリ灰として、畑にまけば廃物の有効な利用法となる。
【００２４】
次に、線香取付部５の上面に蚊取り線香４を載置し、末端部分に点火する。本実施形態では、傘部３３の大きさが片手で掴める大きさとされており、かつ蓋体３の質量がそれほど大きくないので、蓋体３を片手で持ちつつ、残りの手で線香取付部５の取外し、蚊取り線香４への点火処理を行うことができる。
蚊取り線香４に点火したら、蓋体３が基台２の開口部２１を覆うようにして組付ける。延焼中の蚊取り線香４から発せられる蚊遣り煙７は、収容空間６から上方に登って煙突部３２内の煙空間３２Ａを通過し、煙突部３２の側壁に開放された放出窓３４を通って、蚊遣り装置１の外方に放出される（図６を参照）。
【００２５】
このとき、雨が降っていたとしても、放出窓３４の上側を覆う傘部３３が設けられているので、雨が降り込み難く、屋外で使用した場合にも蚊取り線香４の火が消えにくい。
また、線香取付部５は、蚊取り線香４を載置可能な皿体とされているので、蚊取り線香４の燃焼後には、蚊取り線香４の燃え滓が線香取付部５の上面に残ることになる。このため、蚊取り線香４の燃えかすを容易に処理することができる。
【００２６】
更に、放出窓３４は蓋体３側に設けられているので、基台２側に放出窓３４を設けた場合に比べると、地面からより高い位置に設けられており、雨が激しい場合であっても、放出窓３４から雨水が浸入する事態を避けやすい。
また、基台２の底面側に開放された孔部２３は閉止材２４によって閉止されており、蓋体３が組み付けられる上方空間のみを開放したものであるため、蚊遣り装置１を屋外で使用した場合であっても、小虫の侵入を回避することができる。
【００２７】
また、傘部３３は蓋体３を持ち上げる際の取っ手部を兼用しているので、線香取付部５の掃除や、蚊取り線香４への点火といった操作を行いやすい。
また、基台２および蓋体３の外方は、茶色であるため、蚊遣り装置１を庭・ハウスに置いたときにも、景観にとけ込みやすく違和感がない。
【００２８】
＜その他の実施形態＞
なお、本実施形態においては、外径が約１５ｃｍ程度の蚊取り線香を使用したが、市販品では、約１３ｃｍ〜約１６ｃｍ程度の外径を持つものがある。そのような各種の市販品に適用できるようにするためには、次のような構成を採用することができる。
（１）外径が異なる複数種類の基台と、外径が異なる複数種類の蓋体を採用する構成、或いは（２）基台とこの基台に組付可能な蓋体と、径の異なる複数種類の皿状の線香取付部を載置可能な載置部材を採用する構成などが例示できる。なお、そのような載置部材としては、例えば本実施形態の載置部材において、複数段に折り曲げた階段状としておき、そのいずれかの段に径が異なる線香取付部を保持できるようにするという構成が例示できる。そのようにすれば、線香取付部として、金属製の市販蚊取り線香のフタを用いることができるので便利である。
【図面の簡単な説明】
【００２９】
【図１】本実施形態における蚊遣り装置の分解斜視図である。
【図２】蚊遣り装置の側面図である。
【図３】基台に装着した線香取付部に蚊取り線香を載置したときの平面図である。
【図４】煙突部と傘部の分解斜視図である。
【図５】煙突部と傘部の側面図である。
【図６】蚊取り線香に点火して、使用中の様子を示す蚊遣り装置の側面図である。
【符号の説明】
【００３０】
１…蚊遣り装置
２…基台
２１…開口部
２２…載置部材
２３…孔部
２４…閉止材
３…蓋体
３１…基部
３２…煙突部
３３…傘部
３４…放出窓
３５…水抜き溝
４…蚊取り線香
５…線香取付部
５１…耐熱材
６…収容空間
７…蚊遣り煙
【図１】
2007295901.tif 000003
【図２】
2007295901.tif 000004
【図３】
2007295901.tif 000005
【図４】
2007295901.tif 000006
【図５】
2007295901.tif 000007
【図６】
2007295901.tif 000008